(57)【要約】【課題】  発光素子固有の特質を活かしたデザイン及び見栄えを備えた照明器具を提供する。【解決手段】  少なくとも一方が開放した筐体１２と、筐体内に配置され且つこの筐体の開放方向に光を出射する第一の発光素子１３ａと、を備えた照明器具１０であって、この筐体の周縁に沿って配置されたライトガイド１５と、このライトガイドに対して光学的に結合された第二の発光素子１３ｂと、を備えるように、照明器具１０を構成する。【選択図】        図１
2008293769.tif 000002
【特許請求の範囲】
【請求項１】
少なくとも一方が開放した筐体と、筐体内に配置され筐体が開放した方向へ光を発する発光素子と、を備えた照明器具であって、
この筐体の周縁に少なくとも部分的に沿って配置されたライトガイドと、
このライトガイドに光学的に結合した少なくとも一つの発光素子と、
を備えていることを特徴とする、照明器具。
【請求項２】
上記筐体が扁平であることを特徴とする、請求項１に記載の照明器具。
【請求項３】
上記筐体の開放した面を閉じるように配置された照明レンズを備えていることを特徴とする、請求項１または２に記載の照明器具。
【請求項４】
上記ライトガイドが、上記筐体の周縁に沿って、この筐体を包囲する形状を有していることを特徴とする、請求項１から３の何れかに記載の照明器具。
【請求項５】
上記ライトガイドが、半径方向に関して内側部分と外側部分とに分割されていることを特徴とする、請求項１から４の何れかに記載の照明器具。
【請求項６】
上記第二の発光素子が、上記ライトガイドの内側部分の上面または下面に対向するように配置されていることを特徴とする、請求項５に記載の照明器具。
【請求項７】
上記第二の発光素子が、上記ライトガイドの内側部分の内周側壁に対向するように配置されていることを特徴とする、請求項５に記載の照明器具。
【請求項８】
上記ライトガイドの内側部分と外側部分が、別体に構成され完全に分離されていることを特徴とする、請求項５から７の何れかに記載の照明器具。
【請求項９】
上記ライトガイドの内側部分と外側部分が、一体に構成されており、その境界がスリットにより画成されていることを特徴とする、請求項５から７の何れかに記載の照明器具。
【請求項１０】
上記ライトガイドの内側部分が、各発光素子に対向する位置に、各発光素子の光軸と同心で頂角がほぼ９０度の円錐状凹部を備えていることを特徴とする、請求項５から９の何れかに記載の照明器具。
【請求項１１】
上記ライトガイドの内側部分が、その外側面及び／または内側面にて、各発光素子に対応する半径方向の位置に、平面または円錐状凹部の中心軸に焦点を有するほぼ放物柱面から成るＶ字状の切欠部を備えていることを特徴とする、請求項５から１０の何れかに記載の照明器具。
【請求項１２】
上記ライトガイドの外側部分の外周面及び／または内側部分が、光拡散効果を有するように形成されていることを特徴とする、請求項１から１１の何れかに記載の照明器具。
【請求項１３】
上記第一の発光素子及び第二の発光素子が、上記筐体内に収容された一つの基板上に実装されていることを特徴とする、請求項１から１２の何れかに記載の照明器具。
【発明の詳細な説明】
【技術分野】
【０００１】
本発明は、所謂ペンダントライトやシーリングライトとして使用される扁平な筐体を備えた照明器具に関する。
【背景技術】
【０００２】
近年、白色ＬＥＤの発光効率の向上に伴って、一般照明用の光源としての利用拡大が期待されており、既に白色ＬＥＤを光源としたペンダントライトタイプのＬＥＤ照明器具が多種類市販されている。
光源としての個々の白色ＬＥＤが従来の白熱灯や蛍光灯と比較して非常に小型であることを活かして、これらのＬＥＤ照明器具は小型・薄型のデザインになっている。
【０００３】
さらに、特許文献１には、金属ベース基板の片面に複数個のＬＥＤを実装したカード型ＬＥＤ照明光源が、コネクタを介して着脱可能に点灯回路に接続されると共に、基板裏面が照明装置の一部に熱的に接触するようにした、ＬＥＤ照明装置が開示されている。
【０００４】
この構成によれば、コネクタを介して点灯回路からカード型ＬＥＤ照明光源の各ＬＥＤに給電が行なわれる。これにより、各ＬＥＤが発光し、各ＬＥＤの発光時に生ずる熱が基板裏面から照明装置の一部に対して放熱される。これにより、基板上に高密度でＬＥＤを集積させたとしても、各ＬＥＤが放熱により比較的低い温度に保持される。これにより、各ＬＥＤの発光効率が高く保持され得るので、光利用効率が向上することになる。
【特許文献１】特開２００７−０５９９３０号
【発明の開示】
【発明が解決しようとする課題】
【０００５】
ところで、従来のＬＥＤ照明器具においては、特許文献１によるＬＥＤ照明装置も含めて、複数個のＬＥＤにより面状光源を構成したり、環状光源を構成することにより、従来の白熱灯や蛍光灯の代用としての光源を構成するようになっている。
従って、ＬＥＤ照明器具からの照明光や見栄えは、従来の白熱灯や蛍光灯を光源とする照明器具とほぼ同じであり、ＬＥＤ固有の特質を活かしているとはいいがたい。
【０００６】
このような問題は、ＬＥＤを使用した場合だけでなく、他の発光素子を使用した場合も同様である。
また、上述したペンタントライトタイプの照明器具だけでなく、例えば天井面に直接に取り付けられる所謂シーリングライトタイプの照明器具やその他の種類の照明器具においても同様の問題がある。
【０００７】
本発明は、以上の点から、発光素子固有の特質を活かしたデザイン及び見栄えを備えた照明器具を提供することを目的としている。
【課題を解決するための手段】
【０００８】
上記目的は、本発明によれば、少なくとも一方が開放した筐体と、筐体内に配置され筐体が開放した方向へ光を発する発光素子と、を備えた照明器具であって、この筐体の周縁に少なくとも部分的に沿って配置されたライトガイドと、このライトガイドに光学的に結合した少なくとも一つの発光素子と、を備えていることを特徴とする、照明器具により、達成される。
【０００９】
本発明による照明器具は、好ましくは、上記筐体が扁平である。
【００１０】
本発明による照明器具は、好ましくは、上記筐体の開放した面を閉じるように配置された照明レンズを備えている。
【００１１】
本発明による照明器具は、好ましくは、上記ライトガイドが、上記筐体の周縁に沿って、この筐体を包囲する形状を有している。
【００１２】
本発明による照明器具は、好ましくは、上記ライトガイドが、半径方向に関して内側部分と外側部分とに分割されている。
【００１３】
本発明による照明器具は、好ましくは、上記第二の発光素子が、上記ライトガイドの内側部分の上面または下面に対向するように配置されている。
【００１４】
本発明による照明器具は、好ましくは、上記第二の発光素子が、上記ライトガイドの内側部分の内周側壁に対向するように配置されている。
【００１５】
本発明による照明器具は、好ましくは、上記ライトガイドの内側部分と外側部分が、別体に構成され完全に分離されている。
【００１６】
本発明による照明器具は、好ましくは、上記ライトガイドの内側部分と外側部分が、一体に構成されており、その境界がスリットにより画成されている。
【００１７】
本発明による照明器具は、好ましくは、上記ライトガイドの内側部分が、各発光素子に対向する位置に、各発光素子の光軸と同心で頂角がほぼ９０度の円錐状凹部を備えている。
【００１８】
本発明による照明器具は、好ましくは、上記ライトガイドの内側部分が、その外側面及び／または内側面にて、各発光素子に対応する周囲方向の位置に、平面または円錐状凹部の中心軸に焦点を有するほぼ放物柱面から成るＶ字状の切欠部を備えている。
【００１９】
本発明による照明器具は、好ましくは、上記ライトガイドの外側部分の外周面及び／または内側部分が、光拡散効果を有するように形成されている。
【００２０】
本発明による照明器具は、好ましくは、上記第一の発光素子及び第二の発光素子が、上記筐体内に収容された一つの基板上に実装されている。
【発明の効果】
【００２１】
上記構成によれば、例えば照明器具の筐体が天井から吊下げられ、あるいは天井面に直接に取り付けられる。これにより、ペンダントライトまたはシーリングライトとして使用され、筐体内の第一の発光素子からの光が筐体の開放方向に出射する。このため、光出射方向、例えば照明器具の下方にて、部屋の床面やデスク，食卓等が照明されることになる。
【００２２】
さらに、各発光素子が駆動され、各発光素子が発光する。各発光素子から出射した光は、ライトガイドに入射し、ライトガイド内にて反射を繰り返すことにより、その周囲方向に拡散される。
その後、ライトガイド内の光は、周囲方向全体に分かってほぼ均一に拡散された後、外周面から外部に出射する。
【００２３】
これにより、本照明器具を外部から観察した場合、照明器具の筐体の外周縁付近が第二の発光素子からの拡散光によって均一な線状に光って見えることになる。従って、従来の照明器具と比較して、照明器具の外周縁が線状に光る。これにより、ＬＥＤ等の発光素子の特質を活かした斬新な見栄えが提供されることになる。
【００２４】
この場合、外周縁の線状の照明は、筐体の周縁に沿って配置されたライトガイドに対向して配置された発光素子により行なわれる。このため、消費電力が小さく、また温度上昇も比較的少ない。
【００２５】
また、ライトガイドによる拡散効果により、発光素子として比較的少数の発光素子を使用すればよい。このため、簡単な構成により、低コストで照明器具の商品価値を向上させることが可能である。
【００２６】
上記筐体が扁平である場合には、全体が小型に構成され得る。また、本照明器具を天井面や壁面に取り付けた場合に、占有スペースが少なくて済むことになる。
【００２７】
上記筐体の開放した面を閉じるように配置された照明レンズを備えている場合には、第一の発光素子から出射した光が、この照明レンズを介して外部に照射されることになる。従って、照明レンズにより所定の配光特性を付与することができる。
【００２８】
上記ライトガイドが、上記筐体の周縁に沿って、この筐体を包囲する形状を有している場合には、上記ライトガイドが視覚的に筐体と一体のデザインとなり、見栄えが向上することになる。
【００２９】
上記ライトガイドが、半径方向に関して内側部分と外側部分とに分割されている場合には、第二の発光素子から出射した光は、ライトガイドの内側部分に入射し、ライトガイドの内側部分内にて反射を繰り返す。これにより、その周囲方向に拡散される。その後、ライトガイドの内側部分の各所から外側に出射した光は、ライトガイドの外側部分に入射し、さらにこのライトガイドの外側部分内に反射を繰り返す。これにより、周囲方向全体に分かってほぼ均一に拡散された後、外周面から外部に出射する。従って、第二の発光素子から出射した光が、ライトガイドの内側部分と外側部分の二段階で周囲方向に拡散されるので、周囲方向に関してより均一に光が拡散されることになる。
【００３０】
上記第二の発光素子が、上記ライトガイドの内側部分の上面または下面に対向するように配置され、または上記ライトガイドの内側部分の内周側壁に対向するように配置されている場合には、第二の発光素子から出射した光が、上記ライトガイドの内側部分の上面，下面または内周側壁から内部に進入することになる。
【００３１】
上記ライトガイドの内側部分と外側部分が、別体に構成され完全に分離されている場合には、これらの内側部分及び外側部分が、それぞれ最適な形状に成形され、組み立てられる。
【００３２】
上記ライトガイドの内側部分と外側部分が、一体に構成されており、その境界がスリットにより画成されている場合には、これらの内側部分及び外側部分の相互の位置合わせが不要であり、組立が容易に行なわれ得ることになる。
【００３３】
上記ライトガイドの内側部分が、各発光素子に対向する位置に、各発光素子の光軸と同心で頂角がほぼ９０度の円錐状凹部を備えている場合には、各発光素子から光軸方向に出射した光が、この円錐状凹部で全反射して水平方向周囲に拡散することになる。これにより、各発光素子からの光の利用効率が向上することになる。
【００３４】
上記ライトガイドの内側部分が、その外側面及び／または内側面にて、各発光素子に対応する半径方向の位置に、平面または円錐状凹部の中心軸に焦点を有するほぼ放物柱面から成るＶ字状の切欠部を備えている場合には、各発光素子から直接に側方に出射した光あるいは上記ライトガイドの内側部分の円錐状凹部で全反射して側方に進む光が、この切欠部で全反射して、拡散光または平行光となって、ライトガイドの内側部分の周囲方向に沿って反射する。これにより、各発光素子からの光の利用効率が向上することになる。
【００３５】
上記ライトガイドの外側部分の外周面及び／または内側部分が、光拡散効果を有するように形成されている場合には、ライトガイドの内側部分の外周面から外側に光が出射するとき、光が拡散される。また、ライトガイドの外側部分の外周面から外側に光が出射するとき、同様に光が拡散される。従って、ライトガイドの外側部分から外部に出射する光がより均一になる。
【００３６】
上記第一の発光素子及び第二の発光素子が、上記筐体内に収容された一つの基板上に実装されている場合には、全体として部品点数が少なくなり、またより小型に構成され得ることになる。
【００３７】
このようにして、本発明によれば、発光素子固有の特質を活かしたデザイン及び見栄えを備えた照明器具が提供され得ることになる。
【発明を実施するための最良の形態】
【００３８】
以下、この発明の好適な実施形態を図１から図９を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３９】
［実施例１］
図１及び図２は、本発明による照明器具の第一の実施形態の構成を示している。
図１及び図２において、照明器具１０は、ペンダントライトタイプの照明器具であって、上方から順に、支持パイプ１１，筐体１２，ＬＥＤ基板１３，照明レンズ１４，ライトガイド１５及び表面カバー１６から構成されている。
【００４０】
上記支持パイプ１１は、照明器具１０全体を天井から吊下げた状態で支持するためのものである。
支持パイプ１１は、その下端が、筐体１２に固定されていると共に、その上端が図示しない部屋の天井等に対して固定されている。
【００４１】
上記筐体１２は、扁平な円盤状に形成されており、周縁が下方に延びていると共に、その下方が開放している。
ここで、上記筐体１２は、熱伝導性の良好な材料から構成されることにより、ヒートシンクとして作用して、後述するＬＥＤ基板１３上に実装されたＬＥＤで発生する熱を放熱するようになっている。
【００４２】
上記ＬＥＤ基板１３は、図示の場合、円板状に形成されており、上記筐体１２の内部にて、筐体１２内にて筐体１２の内部下面に密着して配置されている。
そして、上記ＬＥＤ基板１３は、その中央領域の下面に、第一の発光素子としてのメイン照明用の複数個の白色ＬＥＤ１３ａが実装されている。
【００４３】
また、上記ＬＥＤ基板１３は、その周縁領域の下面に等角度間隔で分散配置された、第二の発光素子としてのイルミネーション用の複数個（図示の場合、４個）の白色ＬＥＤ１３ｂが実装されている。
これらの白色ＬＥＤ１３ａ，１３ｂは、何れもその光軸がＬＥＤ基板１３に対して下方にほぼ垂直に延びるように配置されている。
【００４４】
さらに、上記ＬＥＤ基板１３は、上述した白色ＬＥＤ１３ａ，１３ｂを駆動するための駆動回路（図示せず）を備えており、この駆動回路から電源コードが、支持パイプ１１を通って部屋の天井等の裏まで引き回され、屋内配線に接続されるようになっている。
【００４５】
上記照明レンズ１４は、扁平な円形の外形を有しており、上記ＬＥＤ基板１３の中央領域に対応するように、その大きさが選定されている。
上記照明レンズ１４は、図２に示すように、周縁にて等角度間隔で上方に延びる取付脚部１４ａの先端が、上記ＬＥＤ基板１３の対応する位置に設けられた係合孔１３ｃに係合することにより、このＬＥＤ基板１３に対して位置決めされ、例えばカシメ等により固定保持されるようになっている。
これにより、上記照明レンズ１４は、メイン照明用の各白色ＬＥＤ１３ａから出射する光を、所望の配光特性となるように、下方に向かって照射するようになっている。
従って、本照明器具１０の下方にて、例えば部屋の床面やデスク，食卓等が所望の配光特性で照明され得ることになる。
【００４６】
上記ライトガイド１５は、図示の場合、半径方向に関して内側部分と外側部分に分割されており、互いに別体である内側の第一のライトガイド１７と外側の第二のライトガイド１８から構成されている。
ここで、第一のライトガイド１７及び第二のライトガイド１８は、図３及び図４に示すように、ＬＥＤ基板１３に対して同じ高さ位置に配置されており、第一のライトガイド１７の外周縁と第二のライトガイド１８の内周縁が僅かな間隙で互いに対向するようになっている。
これらの第一のライトガイド１７及び第二のライトガイド１８は、ＬＥＤ基板１３上に実装された白色ＬＥＤ１３ｂに対して透光性を備える材料から成形されている。
【００４７】
上記第一のライトガイド１７は、図３及び図４に示すように、やや扁平な円環状に形成されている。
上記第一のライトガイド１７は、ＬＥＤ基板１３上の白色ＬＥＤ１３ｂに対向する領域にて、図５（Ａ）に示すように、この白色ＬＥＤ１３ｂと反対側の面即ち下面に、対応する白色ＬＥＤ１３ｂの光軸と同心の円錐状凹部１７ａを備えている。
この円錐状凹部１７ａは、図５（Ａ）そして図６（Ｂ）に示すように、その頂角がほぼ９０度に形成されている。これにより、ＬＥＤ基板１３上のイルミネーション用白色ＬＥＤ１３ｂから対応する第一のライトガイド１７に入射した光Ｌ１は、その光軸と同心の円錐状凹部１７ａに内側から入射することにより、全方向に対して全反射することになる。
【００４８】
また、上記第一のライトガイド１７は、図３及び図４に示すように、上述した円錐状凹部１７ａの半径方向外側面及び内側面に、この円錐状凹部１７ａと同じ半径方向の位置に、切欠部１７ｂを備えている。
この切欠部１７ｂは、上述した位置を中心に周囲方向に斜めに延び、水平方向に関してほぼＶ字形の溝を形成している。
【００４９】
ここで、この切欠部１７ｂは、より詳細には平面から構成され、あるいは上記円錐状凹部１７ａの中心軸を焦点とする放物線を、この中心軸方向に平行移動した放物柱面から構成されている。
これにより、図６（Ａ）に示すように、前述したように上記円錐状凹部１７ａで全方向に全反射した光のうち、半径方向即ち第一のライトガイド１７の内側面及び外側面方向に反射した光Ｌ２が、これらの切欠部１７ｂに内側から入射する。このため、この光が全反射して、第一のライトガイド１７の周囲方向に沿って進むことになる。
その際、切欠部１７ｂが放物柱面から形成されている場合には、切欠部１７ｂの内面で反射した光は、ほぼ平行光となって、第一のライトガイド１７の周囲方向に沿って進むことになる。
【００５０】
さらに、上記第一のライトガイド１７は、その第二のライトガイド１８に対向する外周面が、シボ加工，シボ塗装等の粗面加工や、ローレットカットにより、透過光を拡散させるように、即ち光拡散効果を有するように形成されている。
また、上記第一のライトガイド１７は、表面カバー１６を筐体１２に固定するための固定ネジを貫通させるネジ孔１７ｃを備えている。
これらのネジ孔１７ｃは、好ましくは互いに隣接する二つの円錐状凹部１７ａの中間付近に配置されている。
これにより、第一のライトガイド１７内にて十分に導光が行なわれ、外部への出射光度が周囲方向に関してほぼ均一になる。
【００５１】
上記第二のライトガイド１８は、図３及び図４に示すように、やや扁平な円環状に形成されており、その高さは、第一のライトガイド１７とほぼ同じに選定されている。
上記第二のライトガイド１８は、その外周面が、シボ加工，シボ塗装等の粗面加工や、凹Ｒまたは凸Ｒから成るローレットカットにより、透過光を拡散させるように、即ち光拡散効果を有するように形成されている。
【００５２】
上記表面カバー１６は、不透光性材料から構成され、あるいは不透光性塗料で塗装されることにより、不透光性を備えており、円環状に形成されている。
上記表面カバー１６は、その外径が筐体１２の外径とほぼ同じである。また、その内径が照明レンズ１４より僅かに小径であって、照明レンズ１４の周縁を覆うようになっている。
さらに、上記表面カバー１６は、その周縁に沿って等角度間隔の複数個（図示の場合、４個）のネジ孔１６ａを備えている。
これにより、このネジ孔１６ａに固定ネジ１６ｂを挿通し、表面カバー１６とＬＥＤ基板１３の間にライトガイド１５即ち第一のライトガイド１７及び第二のライトガイド１８を挟み込むようにして、表面カバー１６が筐体１２の取付ボス１２ａに対して固定保持される。
さらに、上記表面カバー１６のネジ孔１６ａは、ネジ孔カバー１６ｃで覆われるようになっている。
【００５３】
尚、上記筐体１２は、その上面が放熱効果を高めるために、図７に示すように、凹凸形状１２ａを備えている。
これにより、筐体１２の内部下面に密着したＬＥＤ基板１３から、白色ＬＥＤ１３ａ，１３ｂの駆動時の熱が、筐体１２に伝達され、この凹凸形状１２ａにより、外気に放出されて、ＬＥＤ基板１３そして各白色ＬＥＤ１３ａ，１３ｂの放熱が行なわれ得るようになっている。
【００５４】
本発明実施形態による照明器具１０は、以上のように構成されており、照明器具１０は、その支持パイプ１１の上端が部屋の天井等に取り付けられることにより、ペンダントライトとして使用され得る。
天井裏等の屋内配線からＬＥＤ基板１３の駆動回路に給電が行なわれる。これにより、各白色ＬＥＤ１３ａ，１３ｂが駆動され、発光する。
ここで、メイン照明用の白色ＬＥＤ１３ａから出射した光は、照明レンズ１４を介して下方に出射し、例えば部屋の床面やデスク，食卓等が照明される。
【００５５】
これに対して、イルミネーション用の白色ＬＥＤ１３ｂから出射した光は、対向するライトガイド１５の第一のライトガイド１７内に入射し、その円錐状凹部１７ａの内面で全反射し、全方向に向かって進む。
さらに、円錐状凹部１７ａで全反射して全方向に向かって進む光のうち、側方即ち半径方向内側及び外側に向かって進む光は、切欠部１７ｂの内面で全反射して、拡散光または平行光となって、第一のライトガイド１７内を周囲方向に沿って進むことになる。
【００５６】
このようにして第一のライトガイド１７内を周囲方向に向かって進む光は、第一のライトガイド１７内で反射を繰り返す。これにより、第一のライトガイド１７内全体に導かれ、その外周面の各所から外側に出射する。これにより、第一のライトガイド１７の全周に亘ってほぼ均一な光が、外周面から外側に出射し、出射の際にこの外周面のシボ加工，シボ塗装等の粗面加工やローレットカットの加工により、拡散され、より均一化された状態で、第二のライトガイド１８の内周面から入射する。
【００５７】
第二のライトガイド１８内に入射した光は、さらに第二のライトガイド１８内で反射を繰り返す。これにより、その周囲方向全体に分かってほぼ均一に拡散された後、外周面から外部に出射し、出射の際にこの外周面のシボ加工，シボ塗装等の粗面加工やローレットカットの加工により、拡散され、より均一化された状態で外部に出射することになる。
【００５８】
従って、本照明器具１０を外部から観察した場合、照明レンズ１４を介して下方に光が照射される。これにより、通常の照明が行なわれ、照明器具１０の扁平な筐体１２の外周縁付近の第二のライトガイド１８の外周面からの拡散光により、筐体１２の外周縁が均一な線状に光って見えることになる。このため、白色ＬＥＤ１３ｂの特質を活かした斬新な見栄えが得られることになる。
【００５９】
また、ＬＥＤ基板１３上の白色ＬＥＤ１３ａ，１３ｂの駆動時に発生する熱は、ＬＥＤ基板１３から筐体１２に伝達され、この筐体１２の上面の凹凸形状１２ａを介して外部に放出される。このため、白色ＬＥＤ１３ａ，１３ｂの温度が上昇して、これらの発光効率が低下してしまうようなことはない。
【００６０】
［実施例２］
図８は、本発明による照明器具の第二の実施形態の構成を示している。
図８において、照明器具２０は、図１に示した照明器具１０とほぼ同様の構成であるから、同じ構成要素には同じ符号を付して、その説明を省略する。
照明器具２０は、図１に示した照明器具１０とは、第一のライトガイド１７及び第二のライトガイド１８が一体に形成されたライトガイド２１を備えている点でのみ異なる構成になっている。
【００６１】
上記ライトガイド２１は、前述した第一のライトガイド１７及び第二のライトガイド１８が、等角度間隔に配置された連結部２２により一体に連結されている。また、この連結部２２以外の部分では、その間にスリット２３を画成するようになっている。
これにより、上記ライトガイド２１は、図１の照明器具１０における互いに別体の第一のライトガイド１７及び第二のライトガイド１８から成るライトガイド１５と同様に作用するようになっている。
【００６２】
このように構成された照明器具２０によれば、図１の照明器具１０と同様に作用する。さらに、第一のライトガイド１７及び第二のライトガイド１８が互いに一体に形成されている。このため、これらの第一のライトガイド１７及び第二のライトガイド１８の相互の位置決めが不要である。また、第一のライトガイド１７及び第二のライトガイド１８が、一つの部品（ライトガイド２１）として供給され、部品点数が削減され、組立が容易に行なわれ得ることになる。
【産業上の利用可能性】
【００６３】
上述した実施形態においては、筐体１２が支持パイプ１１を介して部屋の天井等に取り付けられ、下方に光を出射するペンダントライトとして使用されているが、これに限らず、筐体１２が直接に部屋の天井等に取り付けられて、シーリングライトとして使用され、あるいは壁面等に取り付けられて、他の方向に光を出射するような他の種類の照明器具として使用されてもよいことは明らかである。  また、上述した実施形態においては、メイン照明用及びイルミネーション用として白色ＬＥＤ１３ａ，１３ｂが使用されているが、これに限らず、他の発光色のＬＥＤあるいは複数の発光色のＬＥＤが使用され、この混色によってメイン照明及び／またはイルミネーションが行なわれるようにしてもよいことは明らかである。
【００６４】
さらに、上述した実施形態においては、光源としてＬＥＤが使用されているが、これに限らず、他の発光素子が使用されていてもよい。
また、上述した実施形態においては、イルミネーション用の白色ＬＥＤ１３ｂが、第一のライトガイド１７の上面に対向して配置されているが、これに限らず、第一のライトガイド１７の下面に対向して配置されていてもよい。
あるいは、上述した実施形態においては、イルミネーション用の白色ＬＥＤ１３ｂとして、所謂サイドビュータイプの表面実装型ＬＥＤが、第一のライトガイド１７の内周側壁に対向して配置されるようにしてもよい。
【００６５】
さらに、上述した実施形態においては、筐体１２が扁平な円盤状に形成されており、これに合わせて、ライトガイド１５または２１も円環状に形成されているが、これに限らず、筐体１２が照明器具の用途に合わせて扁平または非扁平の楕円形あるいは異型の外形を有しており、この形状に合わせて、ライトガイド１５，２１の外形が形成されるようにしてもよいことは明らかである。
【００６６】
上述した実施形態においては、第一の発光素子から出射した光が照明レンズを介して外部に照射されるようになっているが、照明レンズが省略されてもよいことは明らかである。
また、上述した実施形態においては、ライトガイド１５または２１が、筐体１２の周縁の内側に配置されているが、これに限らず、筐体１２の周縁の外側に配置されていてもよいことは明らかである。
【００６７】
このようにして、本発明によれば、発光素子固有の特質を活かしたデザイン及び見栄えを備えた、極めて優れた照明器具が提供され得る。
【図面の簡単な説明】
【００６８】
【図１】本発明による照明器具の第一の実施形態の構成を示す下方から見た斜視図である。
【図２】図１の照明器具の分解斜視図である。
【図３】図１の照明器具における要部の構成を示す分解斜視図である。
【図４】図１の照明器具における表面カバーを除いた状態の部分底面図である。
【図５】図１の照明器具における周縁付近の（Ａ）イルミネーション用ＬＥＤを通る部分拡大断面図，（Ｂ）取付ネジを通る部分拡大断面図及び（Ｃ）その他の部分の部分拡大断面図である。
【図６】図１の照明器具における第一のライトガイドのＬＥＤ付近の構成を示す（Ａ）拡大平面図及び（Ｂ）拡大側面図である。
【図７】図１の照明器具における筐体の上面の形状を示す上方から見た斜視図である。
【図８】本発明による照明器具の第二の実施形態の構成を示す下方から見た分解斜視図である。
【図９】図８の照明器具におけるライトガイドの全体構成を示す斜視図である。
【符号の説明】
【００６９】
１０    照明器具
１１    支持パイプ
１２    筐体
１２ａ  凹凸形状
１３    ＬＥＤ基板
１３ａ  メイン照明用白色ＬＥＤ（第一の発光素子）
１３ｂ  イルミネーション用白色ＬＥＤ（第二の発光素子）
１４    照明レンズ
１５    ライトガイド
１６    表面カバー
１７    第一のライトガイド
１７ａ  円錐状凹部
１７ｂ  切欠部
１８    第二のライトガイド
２０    照明器具
２１    ライトガイド
２２    連結部
２３    スリット
【図１】
2008293769.tif 000003
【図２】
2008293769.tif 000004
【図３】
2008293769.tif 000005
【図４】
2008293769.tif 000006
【図５】
2008293769.tif 000007
【図６】
2008293769.tif 000008
【図７】
2008293769.tif 000009
【図８】
2008293769.tif 000010
【図９】
2008293769.tif 000011
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
少なくとも一方が開放した筐体と、筐体内に配置され筐体が開放した方向を光を発する発光素子と、を備えた照明器具であって、
前記筐体が扁平であり、
この筐体の周縁に少なくとも部分的に沿って配置されたライトガイドと、
このライトガイドに光学的に結合した少なくとも一つの発光素子とを備え、
前記ライトガイドの側面には、前記発光素子に対応する位置に水平方向に関してＶ字形の切欠部を備えている、ことを特徴とする照明器具。
【請求項２】
上記ライトガイドが扁平であり、上記筐体の周縁に沿って、この筐体を包囲する形状を有していることを特徴とする、請求項１に記載の照明器具。
【請求項３】
上記ライトガイドが、半径方向に関して内側部分と外側部分とに分割され、
第二の発光素子が、上記内側部分の上面もしくは下面または内周側壁に対向するように配置されていることを特徴とする、請求項１または請求項２に記載の照明器具。
【請求項４】
上記ライトガイドの内側部分が、各発光素子に対向する位置に、各発光素子の光軸と同心で頂角がほぼ９０度の円錐状凹部を備えていることを特徴とする、請求項３に記載の照明器具。
【請求項５】
上記ライトガイドの内側部分が、その外側面及び／または内側面にて、各発光素子に対応する半径方向の位置に、平面または円錐状凹部の中心軸に焦点を有するほぼ放物柱面から成るＶ字状の切欠部を備えていることを特徴とする、請求項３に記載の照明器具。
【請求項６】
上記第一の発光素子および第二の発光素子が、上記筐体内に収容された一つの基板上に実装されていることを特徴とする、請求項１から請求項５の何れかに記載の照明器具。
【手続補正２】
【補正対象書類名】明細書
【補正対象項目名】０００８
【補正方法】変更
【補正の内容】
【０００８】
上記目的は、本発明によれば、少なくとも一方が開放した筐体と、筐体内に配置され筐体が開放した方向を光を発する発光素子と、を備えた照明器具であって、前記筐体が扁平であり、この筐体の周縁に少なくとも部分的に沿って配置されたライトガイドと、このライトガイドに光学的に結合した少なくとも一つの発光素子とを備え、前記ライトガイドの側面には、前記発光素子に対応する位置に水平方向に関してＶ字形の切欠部を備えている、ことを特徴とする照明器具、により、達成される。
【手続補正３】
【補正対象書類名】明細書
【補正対象項目名】０００９
【補正方法】変更
【補正の内容】
【０００９】
本発明による照明器具は、好ましくは、上記ライトガイドが扁平であり、上記筐体の周縁に沿って、この筐体を包囲する形状を有している。
【手続補正４】
【補正対象書類名】明細書
【補正対象項目名】００１０
【補正方法】変更
【補正の内容】
【００１０】
本発明による照明器具は、好ましくは、上記ライトガイドが、半径方向に関して内側部分と外側部分とに分割され、第二の発光素子が、上記内側部分の上面もしくは下面または内周側壁に対向するように配置されている。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１９
【補正方法】削除
【補正の内容】